(57)【要約】      （修正有）【課題】比較的大型の輸送用コンテナを、安全かつ迅速に組み立てや折り畳めるとともに、多段のネスティングと段積みの双方を簡単な構成で可能にする。【解決手段】輸送用コンテナ１００は、ベース４０に立設した背面枠１０と、背面枠１０にヒンジ２６を介して取り付けた左右一対の側面枠２０、３０と、左右一対の正面支柱１４、１５を有する。一対の正面支柱１４，１５の上端部とを接続する上面段積みレール１１、１２と、正面支柱１４，１５の下端部に一端を有しベース４０の下面を前後に延びる下面段積みレール４２ａ、４２ｂを設ける。側面枠２０，３は背面枠１０周りにほぼ２７０°回転可能であり、輸送用コンテナ１００を複数段ネスティングする場合は、左右の側面枠２０，３０を背面枠１０の背面に回動保持し、輸送用コンテナ１００を複数段段積みする場合には上面段積みレール１１，１２を下面段積みレール４２ａ，４２ｂに重ね合わせる。【選択図】図１
2014118185.tif 000002
【特許請求の範囲】
【請求項１】
ベースと、このベースに立設した背面枠と、この背面枠にヒンジを介して取り付けた左右一対の側面枠と、前記ベースの前側角部に立設した左右一対の正面支柱と、この一対の正面支柱に両端部を係止した複数のステイバーとを有し、前記ベースにフォークリフトのフォークが差し込み可能に形成された輸送用コンテナにおいて、
前記背面枠の上端部であって左右の端部近傍と前記一対の正面支柱の上端部とを接続する上面段積みレールと、前記正面支柱の下端部であって左右の両外側に一端を有し前記ベースの下面を前後に延びる下面段積みレールとを設け、前記下面段積みレールの前後端部を平板で閉塞し、前記一対の正面支柱に、前記前面枠を保持する保持部材と前記側面枠を保持する保持手段を形成し、前記側面枠を前記背面枠周りにほぼ２７０°回転可能にし、
輸送用コンテナを複数段段積みする場合には前記上面段積みレールを前記下面段積みレールに重ね合わせ、輸送用コンテナを複数段ネスティングする場合は、左右の前記側面枠を前記背面枠の背面に回動保持することを特徴とする輸送用コンテナ。
【請求項２】
前記ヒンジは上下方向に離隔して２か所配設されており、上下に配置された前記ヒンジ間にスタビライザーを配置したことを特徴とする請求項１に記載の輸送用コンテナ。
【請求項３】
前記ベースの上面に、前記ステイバーの両端部が嵌合するステイバー差込み用穴を形成し、ネスティング時に前記ステイバーを前記ベースに保持することを特徴とする請求項１または２に記載の輸送用コンテナ。
【請求項４】
前記上面段積みレール及び下面段積みレールは、同サイズのアングル材を山形に配置して形成されていることを特徴とする請求項１ないし３のいずれか１項に記載の輸送用コンテナ。
【請求項５】
前記ベースの占有面積は、横方向がほぼ２１５０ｍｍで奥行き方向がほぼ１７００ｍｍであり、床面から前記上面段積みレールまでの高さがほぼ１８００ｍｍであることを特徴とする請求項１ないし４のいずれか１項に記載の輸送用コンテナ。
【請求項６】
ネスティング時には、輸送用コンテナを５段重ねてフォークリフトで移動可能としたことを特徴とする請求項１ないし５のいずれか１項に記載の輸送用コンテナ。
【発明の詳細な説明】
【技術分野】
【０００１】
本発明は、物品を収容しフォークリフトで搬送可能な輸送用コンテナに係り、特に積み重ね使用可能で、かつ不使用時にはネスティング積み重ね保管可能な輸送用コンテナに関する。
【背景技術】
【０００２】
廃棄物や各種資源ごみなどを回収し再利用するリサイクルシステムの確立に伴い、それらを運搬する専用のコンテナが求められている。そのため、使用後の運搬および保管に便利なように、折り畳み式のものが種々提案されている。
【０００３】
例えば特許文献１では、側面パネル等の着脱が不要で、簡単容易にネスティングすることができる輸送用パレットを得るために、後ろ側左右一対の支柱から前側左右一対の支柱までを荷支持台部の周縁に沿って閉じるＬ型側面パネルを設けている。そしてこのＬ型側面パネルは、背面パネルに重なる折り畳み姿勢を形成できるよう、後側左右一対の支柱に揺動可能に軸支されている。さらにこのＬ型側面パネルのいずれか一方の前側端には、前面パネルを折り畳み可能に設けている。これにより、前側パネル及び左右一対のＬ型側面パネルを、背面パネルの前側に重ねるように折り畳んで、ネスティング積み重ねが可能にしている。
【０００４】
また、特許文献２では、着脱自在な前側パネルを備えた入れ子式にネスティングが可能な搬送用パレットを得るために、底板部と左右両側パネルと、後ろ側パネルと、着脱自在に前側パネルを備えた入れ子式の搬送用パレットにおいて、後ろ側パネルの背面に、取り外した前側パネルを着脱自在に支持している。
【０００５】
さらに、非特許文献１には、各社のネスティングラックが開示されている。これらのラックは、代表的には、４本の上下に延びる支柱と各支柱の上端部を接続し、積み重ね時に位置決め材として用いられる前後に延びる２本のガイド部材と、後ろ側の２本の支柱を接続する連結部材と床面を構成する網状または平面状の床部材とを備えている。
【先行技術文献】
【特許文献】
【０００６】
【特許文献１】特開２００１−３４８０３３号公報
【特許文献２】特開２００２−３７２５９号公報
【非特許文献】
【０００７】
【非特許文献１】Google 画像検索、”ネスティングラック”、[online][平成２４年１１月１６日検索]、インターネット(URL:http://www.google.com/search?q=%E3%83%8D%E3%82%B9%E3%83%86%E3%8…)(特にその第１〜第３頁)
【発明の概要】
【発明が解決しようとする課題】
【０００８】
廃家電等に使用される輸送用コンテナでは、使用時には２段重ね等の段積み構成となり、不使用時には保管スペース確保の点から５段から１０段にも及ぶいわゆるネスティング積み重ね構成となっている。そのため、段積み構成時には容易に上下のコンテナの位置決めが可能となるとともに、下段部のコンテナには、上段部の荷重を支持できることが求められる。一方、ネスティング時には下段のコンテナに上段のコンテナが容易にアクセスできること、およびネスティングに適したコンテナ形状に変換できること、具体的には前側枠(パネル)や左右の両側枠(パネル)を容易に折り畳めるまたは取り外せること、使用時のために素早く元の形状に戻せること、部材を取り外す場合には部材の遺失の恐れを少なくすること、等の多くの事柄が要求される。
【０００９】
そのため、上記特許文献１の搬送用パレットでは、両側面パネルを背面パネル周りに回転可能にして、ネスティング時に背面パネルの前側に両側面パネルを保持している。しかしながらこの公報に記載の搬送用パレットでは、使用時に物品が載置される荷支持台部内に作業者が入り込むようになるので、廃家電等を収容した後の用済み後に折り畳んで使用する場合には、破損品が荷支持台部内に落ちている場合もあり、作業への支障をきたす場合もある。
【００１０】
また、背面パネルの前側に両側面パネルを保管するとネスティング時の位置ずれが大きくなり、保管スペース効率が低下し、転倒のリスクが高くなる。さらに、搬送用パレットを使用するために段積みする時は下段の搬送用パレットの位置決め用凸上部材を上段の搬送用パレットの溝型部材に嵌合することが記載されているものの、２段の搬送用パレットを安定保持することについての考慮は不十分である。
【００１１】
上記特許文献２では、背面パネルが固定式である上に左右両側パネルも固定式とし、前側パネルだけ着脱自在にすることが記載されている。この公報に記載の搬送用パレットではネスティングする際にも前側パネルだけを取り外すので、ネスティングに対する準備は簡単になる。しかし、両側面パネルおよび背面パネルが固定式であるため、ネスティングにおいては上段の搬送パレットを下段の搬送パレットに正確に位置決めして上段の搬送パネルを下段の搬送パレットに嵌合する必要があり、フォークリフトの操作の作業性が低下するおそれがある。
【００１２】
非特許文献１には、各社のネスティングラックが開示されている。ネスティングラックは輸送用コンテナと異なり、原則として側面及び背面に抜け防止用の格子状衝立部(パネル)を有していない。必要な場合には、別体として格子状の衝立部(パネル)をラックの周囲に配置するようになっており、パネル一体型のコンテナで、段積みおよびネスティングの双方を簡単な構成でかつ容易に形状変化させて仕様を満足させることについては考慮されていない。また、本発明の対象となる比較的大型のコンテナでは、例えば積載量１０ｔのトラックに数台を積み込む程度の大型である。そのため、各側面枠または柵は、重量２０ｋｇオーダーになり、この点でもネスティングラックとはその使用状況が相違する。
【００１３】
本発明は上記従来技術の不具合に鑑みなされたものであり、その目的は、比較的大型の輸送用コンテナを１人の作業者で安全かつ迅速に組み立てや折り畳みすることができるとともに、多段のネスティングと段積みの双方を簡単な構成で可能にすることにある。また、輸送用コンテナの荷載置部に作業者が立ち入らずに、上記作業をできるようにすることもその目的とする。
【課題を解決するための手段】
【００１４】
上記目的を達成する本発明の特徴は、ベースと、このベースに立設した背面枠と、この背面枠にヒンジを介して取り付けた左右一対の側面枠と、前記ベースの前側角部に立設した左右一対の正面支柱と、この一対の正面支柱に両端部を係止した複数のステイバーとを有し、前記ベースにフォークリフトのフォークが差し込み可能に形成された輸送用コンテナにおいて、前記背面枠の上端部であって左右の端部近傍と前記一対の正面支柱の上端部とを接続する上面段積みレールと、前記正面支柱の下端部であって左右の両外側に一端を有し前記ベースの下面を前後に延びる下面段積みレールとを設け、前記下面段積みレールの前後端部を平板で閉塞し、前記一対の正面支柱に、前記前面枠を保持する保持部材と前記側面枠を保持する保持手段を形成し、前記側面枠を前記背面枠周りにほぼ２７０°回転可能にし、輸送用コンテナを複数段段積みする場合には前記上面段積みレールを前記下面段積みレールに重ね合わせ、輸送用コンテナを複数段ネスティングする場合は、左右の前記側面枠を前記背面枠の背面に回動保持したことにある。
【００１５】
そしてこの特徴において前記ヒンジは上下方向に離隔して２か所配設されており、上下に配置された前記ヒンジ間にスタビライザーを配置するのが望ましく、前記ベースの上面に、前記前面枠を構成するステイバーの両端部が嵌合するステイバー差込み用穴を形成し、ネスティング時に前記ステイバーを前記ベースに保持することが好ましい。
【００１６】
また、上記特徴において、前記上面段積みレール及び下面段積みレールは、同サイズのアングル材を山形に配置して形成されているのがよく、前記ベースの占有面積は、横方向がほぼ２１５０ｍｍで奥行き方向がほぼ１７００ｍｍであり、床面から前記上面段積みレールまでの高さがほぼ１８００ｍｍであってもよい。さらに、ネスティング時には、輸送用コンテナを５段重ねてフォークリフトで移動可能とすることが好ましい。
【発明の効果】
【００１７】
本発明によれば、背面枠にヒンジ部を介して左右枠を取り付け、左右枠を背面枠の背面側に保持できるようにしたので、比較的大型の輸送用コンテナを１人の作業者で安全かつ迅速に組み立てや折り畳みすることができるとともに、多段のネスティングと段積みの双方を簡単な構成で可能である。また、輸送用コンテナの荷載置部に作業者が立ち入らずに、左右枠及び前面枠の折り畳みや復元、取付け、取り外し作業が可能になる。
【図面の簡単な説明】
【００１８】
【図１】本発明に係る輸送用コンテナの一実施例の斜視図である。
【図２】図１に示した輸送用コンテナが備える右側面枠と正面支柱並びに背面枠との関係を詳細に示す図である。
【図３】図１に示した輸送用コンテナの部分図であり、段積みを説明する図である。
【図４】図１に示した輸送用コンテナを２段に段積みした状態を示す正面図及び側面図である。
【図５】本発明に係る輸送用コンテナをネスティングする際の手順を説明する図である。
【図６】図１に示した輸送用コンテナを複数段段積みした状態の斜視図である。
【図７】図１に示した輸送用コンテナを複数段段積みした状態の正面図及び側面図である。
【発明を実施するための形態】
【００１９】
本発明に係る輸送用コンテナは、家電製品等の廃棄物や各種資源ごみなどの運搬に使用されることが多いが、それらに限らず、柵の隙間からこぼれ落ちないものであれば適用できる。ただし、柵状に形成してあるので、最大積載質量は等分布荷重で１０００ｋｇ程度までとする。また、輸送用コンテナは、フォークリフトで使用するパレットと同一構造のベースを底部に有し、このベースの上面側であって背面に柵状の枠を、この背面枠に左右両側面枠を、ヒンジを介して取り付けた構造になっている。また前面は、複数のステイバーで封止して柵状の枠と同様の効果が得られるようにしている。さらに、空荷のときには、左右の側面枠を背面枠の背面側に折り畳んで１０段までのネスティングを可能としている。
【００２０】
また、本発明に係る輸送用コンテナは、トラック積載を前提にして大型に形成されている。ここで大型とは、例えば１人では支えにくいかもしくは支えられない形状、または一人では支えられない外枠部を有することを意味する。このように大型の輸送用コンテナではあるが、輸送用コンテナに搬送物を充填しても、２段に段積みして保管することが可能である。
【００２１】
以下、本発明に係る輸送用コンテナの一実施例を、図面を用いて説明する。図１は、本発明に係る輸送用コンテナ１００の一実施例の斜視図である。図１では、輸送用コンテナ１００とともに運搬または輸送用コンテナ１００内に保管される物品(搬送物)は、図示を省略している。
【００２２】
輸送用コンテナ１００は、略長方形状を有するベース４０と、このベース４０の上面であって背面側に配置された背面枠１０を有する。背面枠１０には、ヒンジ２６を介して左右一対の側面枠２０、３０が取り付けられている。ヒンジ２６は、上下方向に間隔をおいて２か所設けられている。
【００２３】
底面部を構成するベース４０は、矩形板からなる床面板４３と、フォークガイド４１を有している。ベース４０の下面であって左右両端には、前後方向に延びる左段積みレール４２ａ及び右段積みレール４２ｂが設けられている。ベースの上面には、この輸送用コンテナ１００の前面を封止するためのステイバー５１を保持するステイバー差込み用穴４３ａ、４３ｂが形成されている。ステイバー５１は両端部が９０°折れ曲がったかすがい形状となっている。ステイバー差込み用穴４３ａ、４３ｂには、ステイバー５１の折れ曲がり部が嵌合する。
【００２４】
背面枠１０は、ベース４０の後端であって左右両端部よりもやや内側に一端部を取り付け、上方に延びる右背面支柱１６ａおよび左背面支柱１６ｂと、左右両背面支柱１６ａ、１６ｂの上端部が取り付けられ横方向に延びる上面フレーム１３とで外枠部が形成される。この外枠部に、上下方向に延び間隔をおいて配置された複数本の縦フレーム１６ｃと、各縦フレーム１６ｃの上下方向中間部を連結し横方向に延びる横桟とが取り付けられている。
【００２５】
ベース４０の前側端部であって、左右端には上方に延びる右正面支柱１４および左正面支柱１５が設けられている。左右正面支柱１４、１５の前面側には、輸送用コンテナ１００を使用時にステイバー５１の折れ曲がり部を嵌合するためのステイバー受け金具１４ｃ、１５ｃが、上下方向に間隔をおいて複数個設けられている。左右正面支柱１４、１５の下端部であって前面側には、左右の下面段積みレール４２ａ、４２ｂの端部を閉塞する正面コーナープレート１４ｂ、１５ｂが取り付けられている。図示を省略したが、左右の下面段積みレール４２ａ、４２ｂの後端部も、コーナープレートで閉塞されている。
【００２６】
右正面支柱１４の上部と背面枠１０の上面フレーム１３の右端部とを右上面段積みレール１１が、左正面支柱１５の上部と背面枠１０の上面フレーム１３の左端部とを左上面段積みレール１２が、それぞれ連結している。２個の輸送用コンテナ１００を段積みする場合に、下側の輸送用コンテナ１００の右上面段積みレール１１が上側の輸送用コンテナ１００の右下面段積みレール４２ａと、下側の輸送用コンテナ１００の左上面段積みレール１２が上側の輸送用コンテナ１００の左下面段積みレール４３ａに重なり合って、上側の輸送用コンテナ１００を下側の輸送用コンテナ１００に安定して保持することが可能になる。
【００２７】
次に本発明の特徴の一つである左右の側面枠２０、３０について、図２により説明する。なお、以下の説明では右側面枠２０のみを取り上げるが、左側面枠３０も同様の構成であるので、説明を省略する。図２(ａ)は、右側面枠２０の正面図であり、図２(ｂ)はこの右側面枠２０の一部を構成する上ストッパ部２３の正面図、図２(ｃ)は右側面枠２０を右背面支柱１６ａに回動可能に取り付けるヒンジ２６の横断面図、図２(ｄ)は右正面支柱１４の一部を取り出した斜視図である。
【００２８】
右側面枠２０は、１本の丸パイプを折り曲げた外周フレーム２１と、この外周フレーム２１の両端部を連結する外周フレーム２２とで、Ｄ字状に形成されている。そして上下方向に延び前後方向（図２(ａ)では左右方向）に間隔をおいて配置された複数の縦フレーム２９の両端部が、外周フレーム２１に取り付けられている。また、各縦フレーム２９の中間部を連結するように横方向に延びる横桟２５が配置されている。右側面枠２０の前側であって上方角部および下方角部には上ストッパ部２３及び下ストッパ部２４がそれぞれ形成されている。上下ストッパ部２３、２４を連結するように、上下方向に延びる外周フレーム２９ａが配置されている。
【００２９】
上ストッパ部２３及び下ストッパ部２４はほぼ同じ構成であるが、ストッパ部２３、２４を区画するストッパ取り付けフレーム２３ａが上下対称に形成されている点が相違している。図２(ｂ)に示すように、Ｌ字型に曲げられたストッパ取り付けフレーム２３ａの上下に延びる部分と、上下に延びる外周フレーム２２間を、長尺の平板で形成されたストッパ取り付けプレート２３ｂが横方向に接続している。
【００３０】
ストッパ取り付けプレート２３ｂの前側端及び前後方向中間部(図２(ｂ)では左右方向中間部)には、円筒形のストッパ支持パイプ２３ｃ、２３ｄが取り付けられている。２つのストッパ支持パイプ２３ｃ、２３ｄ間であってストッパ取り付けプレート２３ｂの下端側には円弧状に折り曲げられたストッパ抜け防止プレート２３ｅが取り付けられている。横方向に延びる丸棒で形成されたストッパ２３ｆの軸方向中間部にはストッパ取っ手２３ｇがストッパ２３ｆに直角に付設されている。
【００３１】
一方、このストッパ２３ｆに対向する右正面支柱１４の背面側のストッパ１４ｆに対応する位置近傍には、上下方向に長い長孔が形成されたストッパ差込みプレート１４ｅが取り付けられている。ストッパ差込みプレート１４ｅの長孔は、ストッパ差込み用穴１４ｆとして用いられる。
【００３２】
このように構成したストッパ部２３を用いて、右側面枠２０を右正面支柱１４に保持するときは、初めにストッパ２３ｆのストッパ取っ手２３ｇよりも後ろ側の部分をストッパ支持パイプ２３ｄ内に保持して、ストッパ取っ手２３ｇをストッパ抜け防止プレート２３ｅの後ろ側(図２(ｂ)で右側)で下向きに位置させ保持する。
【００３３】
次いで、右側面枠２０を右正面支柱１４に対向する位置に位置付けて、ストッパ取っ手２３ｇを上方に回動させた後、ストッパ抜け防止プレート２３ｅを超えて前方に位置させる。ストッパ２３ｆの前部がストッパ支持パイプ２３ｃに挿入され、さらに右正面支柱１４に取り付けたストッパ差込みプレート１４ｅのストッパ差込み用穴１４ｆにストッパ２３ｆの先端部が挿入され、ストッパ２３ｆが右正面支柱１４に係合する。その後、ストッパ２３ｆの意図しない抜けを防止するため、ストッパ取っ手２３ｇを回動させ、ストッパ抜け防止プレートの前端とストッパ支持パイプ２３ｃの後端との間の隙間にストッパ取っ手２３ｇを保持する。これにより、右側面枠２０は確実に右正面支柱１４に保持される。
【００３４】
ストッパ２３ｆを外す場合は、上記の逆の手順をたどる。その際、右側面枠２０が右正面支柱１４から開放されたら、ストッパ抜け防止プレート２３ｅと後側のストッパ支持パイプ２３ｄとの間に形成される隙間に、ストッパ取っ手２３ｇを位置決めする。この場合、ストッパ２３ｇの前側先端は、外周フレーム２２よりも右側面枠２０の内部に位置するので、ストッパ２３ｇが損傷する恐れも格段に低下する。
【００３５】
上述したように、右側面枠２０は右背面支柱１６ａにヒンジ２６を介して取り付けられている。このヒンジ２６の詳細を、図２(ｃ)を用いて説明する。なお、上下に間隔をおいて配置される２個のヒンジ２６は同一構造である。
【００３６】
右側面枠２０を構成する外周フレーム２１は、右側面枠２０の回動の際に摩擦抵抗が少なくなるよう、円筒形状をしている。同様の理由で、右背面支柱１６ａも円筒形状をしている。ここで、外周フレーム２１の直径は、右背面支柱１６ａの直径よりも小さい。
【００３７】
外周フレーム２１と右背面支柱１６ａは、間隔をおいて配置されている。そして、外周フレーム２１の外周部を薄板状のヒンジプレート２６ａが、右背面支柱１６ａの外周部を薄板状のヒンジプレート２６ｂがそれぞれ覆っている。各ヒンジプレート２６ａ、２６ｂの両端部は互いにオーバーラップしている。
【００３８】
上下に配置された２個のヒンジ２６間であって、外周フレーム２１と右背面支柱１６ａの間の隙間には、上下に延びるスタビライザー２８が配置されている。スタビライザー２８およびヒンジプレート２６ａ、２６ｂのオーバーラップ部は、ボルト２６ｃ及びナット２６ｄで締結されている。スタビライザー２８は、上部に配置したヒンジ２６と下部に配置したヒンジ２６の回動角度が相違して右側面枠２０が歪んで回動するのを防止し、上下のヒンジ２６の回動角度を同期させる。このようなヒンジ２６の構成としたので、右側面枠２０は右背面支柱１６ａの周りに自由に回動できる。
【００３９】
図２(ｄ)に、正面支柱１４、１５の前面に設けたステイバー受け金具１４ｃ、１５ｃの詳細を示す。ステイバー受け金具１４ｃ、１５ｃは、平板をＣ字状に折り曲げた形状であり、ステイバー５１の折り曲げた先端部がステイバー受け金具１４ｃ、１５ｃに貫挿される。ステイバー受け金具１４ｃ、１５ｃは、上下方向に間隔をおいて、５か所程度取り付けられている。なお、正面支柱１４、１５は角型鋼管製であり、そのベース４０に近い根元部は補強のため支持棒１４ｄ、１５ｄを内部に保持している。
【００４０】
次に、このように構成した輸送用コンテナ１００の段積みおよびネスティングについて説明する。初めに輸送用コンテナ１００を２段に段積みする場合について、図３及び図４を用いて説明する。図３は、輸送用コンテナ１００の段積みの様子を、下側の輸送用コンテナ１００の左側の上端部と上側の輸送用コンテナの左側の下端部１００だけを取り出して示した正面図(図３(ａ))及び側面図(図３(ｂ))である。輸送用のコンテナ１００の段積み作業では、左右をほぼ同時に段積み状態にする。また、輸送用コンテナ１００の段積みは、輸送用コンテナ１００の内部に物品が充填された状態でフォークリフトを使用して実行される。段積みは安全性を考慮して２段までとしているが、理論的には３段以上の段積みも可能である。
【００４１】
上側の輸送用コンテナ１００の左正面支柱１５の下端部に隣り合って、左下面段積みレール４２ｂが配設されている。左下面段積みレール４２ｂは、等辺山形鋼の角部を上側にして伏せた形状で配置されており、下面側に凹部が形成されている。一方、下側の左正面支柱１５ｂの上端部には、Ｃ字状に折り曲げた上面プレート１５ａが被せられており、上面プレート１５ａの左右方向の内側端部付近には、左下面段積みレール４２ｂと同サイズの左上面段積みレール１２が角部を上側にして伏せた形状で配置されている。左上面段積みレール１２の前後方向端部には、左上面段積みレールの変形等を防止するために、補強プレート１２ａが上面プレート１５ａに固定されている。
【００４２】
輸送コンテナ１００の段積みの際には、上面段積みレール１２の角部に下面段積みレール４２ｂの凹部が重なるように、上側の輸送コンテナ１００を引き下げる。その際、上側の輸送コンテナ１００の下面段積みレール４２ｂの前後方向端部が正面コーナープレート１５ｂで閉塞されているので、上面段積みレール１２と下面段積みレール４２ｂの前後方向の食い違いを所定範囲内に収めることができる。これにより段積み後の荷崩れを防止できる。また、正面コーナープレート１５ｂの前面に、下面段積みレール４２ｂの断面３角形状をマーキングしておく(図４参照)ことにより、フォークリフトの作業者による、下面段積みレール４２ｂと上面段積みレール１２との位置合わせ作業を迅速化できる。
【００４３】
図４は輸送用コンテナを２段に段積みした状態を示す正面図(図４(ａ))及び側面図(図４(ｂ))である。上側の輸送用コンテナ１００（Ｃ）と下側の輸送用コンテナ１００（Ｄ）は、正面コーナープレート１４ｂ、１５ｂ上に表示したマーク１４ｅ、１５ｅを利用して段積みされている。２段に段積みしたときの輸送用コンテナ全体の高さＨは約４０００ｍｍであり、幅Ｗは約２２８０ｍｍ、奥行きＬは約２１５０ｍｍである。
【００４４】
次に、輸送用コンテナ１００のネスティングの例を、図５ないし図７を用いて説明する。図５は、ネスティングの手順を説明する図であり、輸送用コンテナ１００の上面図である。初めに、前面枠を形成するステイバー５１を、左右の正面支柱１４、１５から取り外し、ベース４０に形成したステイバー差込み用穴４３ａ、４３ｂにその端部を差し込んで保持する。この状態を、図５(ｂ)に示す。
【００４５】
次に、左右の側面枠２０、３０に形成した上下ストッパ部２３、２４(図２(ａ)参照)を外し、左右の側面枠２０、３０を、ヒンジ２６を利用して背面支柱１６ａ、１６ｂの周りに外側に回動させる(図５(ｂ))。そして、ほぼ２７０°回動させて、右側面枠２０、左側面枠３０の順に、背面枠１０の背面側に折り畳む。折り畳み終えたら、図示しないゴム紐等で背面枠１０と右側面枠２０および左側面枠３０を相互に締結・保持する。この状態が、図５(ｃ)である。左右側面枠２０、３０を折り畳み終えたら、フォークリフトのフォークをベース部に形成したフォークガイド４１に挿入して輸送用コンテナ１００を移動させる。
【００４６】
図５(ｄ)は２個の輸送用コンテナ１００(Ａ)、１００(Ｂ)をネスティングする前の状態であり、図５(ｆ)はネスティング後の状態である。下側の輸送用コンテナ１００(Ｂ)の上側に前側から上側の輸送用コンテナ１００(Ａ)を差し込むように重ねる。２個の輸送用コンテナ１００(Ａ)、１００(Ｂ)は、背面枠１０の背面に折り畳んだ左右の側面枠２０、３０の厚さ分だけ前後方向の位置を変えながら積層される。
【００４７】
複数の輸送用コンテナ１００をネスティングした後のネスティング保管コンテナ２００を、図６及び図７に示す。図６は５個の輸送用コンテナ１００をネスティングした状態を示す斜視図であり、図７は１０個の輸送用コンテナ１００をネスティングした状態を示す正面図(図７(ａ))及び側面図(図７(ｂ))である。上述したように前後方向には左右側面枠２０、３０の折り畳み量だけ段数を重ねるごとに輸送用コンテナ１００の位置が移動する。また段数を重ねると、上下方向にはほぼベース４０部の厚さ分だけ高くなる。左右方向の長さは変化しない。したがって、１０段積層した場合であっても、幅方向長さＷは約２２８０ｍｍであり、高さは約３６００ｍｍ、奥行き方向長さＬ１は約２７６０ｍｍである。したがって、ネスティングにより、少ないスペースに多数の輸送用コンテナ１００を保管することができる。
【００４８】
上記実施例では、右側面枠を背面枠の背面側に折り畳んだ後、左側面枠を折り畳んでいるが、折り畳む順序はどちらが先でもかまわない。また、左右の側面枠を正面支柱に係止するストッパ部の形状も上記実施例に限るものではなくチェーン等で固定するものであってもよい。ただし、部品の紛失防止等の点で上記実施例に記載したものが好ましい。さらに左右側面枠及び背面枠を構成する各部品は、円管を加工したものを用いると経済的であると共に加工が容易になる。
【００４９】
上記実施例によれば、段積みレールに型鋼(アングル材または等辺山形鋼)を用い、左右側面枠や背面枠前面枠に円管等の規格品を用いているので、輸送用コンテナを経済的に構成できる。また、ストッパ部やヒンジ部を簡素な構成としたので、多年の使用においても確実に左右側面枠を正面支柱に保持したり背面支柱周りに回動できる。
【００５０】
また上記実施例によれば、ベースの上面を鋼板で覆い、背面枠及び左右側面枠を格子状に形成しているので、細かな部品がこの輸送用コンテナから落下したり、突き出たりするのを防止できる。さらに、ベースの四方からフォークリフトのフォークを差し込むことが可能であり、フォークリフトによる運搬作業が効率化する。
【符号の説明】
【００５１】
１０…背面枠、１１…右上面段積みレール、１２左上面段積みレール、１２ａ…補強プレート、１３…上面フレーム、１４…右正面支柱、１４ａ…上面プレート、１４ｂ…正面コーナープレート、１４ｃ…ステイバー受け金具、１４ｄ…支持棒、１４ｅ…ストッパ差込み部プレート、１４ｆ…ストッパ差込み用穴、１５…左正面支柱、１５ａ…上面プレート、１５ｂ…正面コーナープレート、１５ｃ…ステイバー受け金具、１５ｄ…支持棒、１６ａ…右背面支柱、１６ｂ…左背面支柱、１６ｃ…縦フレーム、１７…横桟、２０…右側面枠、２１、２２…外周フレーム、２３…上ストッパ部、２３ａ…ストッパ取り付けフレーム、２３ｂ…ストッパ取り付けプレート、２３ｃ、２３ｄ…ストッパ支持パイプ、２３ｅ…ストッパ抜け防止プレート、２３ｆ…ストッパ、２３ｇ…ストッパ取っ手、２４…下ストッパ部、２５…横桟、２６…ヒンジ、２６ａ、２６ｂ…ヒンジプレート、２６ｃ…ボルト、２６ｄ…ナット、２８…スタビライザー、２９…縦フレーム、２９ａ…外周フレーム、３０…左側面枠、４０…ベース、４１…フォークガイド、４２ａ…右下面段積みレール、４２ｂ…左下面段積みレール、４３…床面板、４３ａ、４３ｂ…ステイバー差込み用穴、５１…ステイバー、６１、６２…回転、６３…積み重ね、１００…輸送用コンテナ、２００…ネスティング保管コンテナ。
【図１】
2014118185.tif 000003
【図２】
2014118185.tif 000004
【図３】
2014118185.tif 000005
【図４】
2014118185.tif 000006
【図５】
2014118185.tif 000007
【図６】
2014118185.tif 000008
【図７】
2014118185.tif 000009